【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
複数の命令を記憶している非一時的な機械可読媒体を含む機器であって、前記命令は計算装置によって実行されるとき、
第１の賭博会場により二者間賭博提案の各サイドに賭けられる金額を算出すること、
第１のサイドに賭けられた金額に基づき、前記二者間賭博提案の前記第１のサイドに関するリスクエクスポージャのレベルを算出すること、
前記二者間賭博提案の第２のサイドに賭けられた金額に基づき、前記二者間賭博提案の前記第１のサイドに関するリスクエクスポージャの相殺レベルを算出すること、
前記リスクエクスポージャのレベル及び前記リスクエクスポージャの相殺レベルに基づき、リスクエクスポージャの合計レベルを算出すること、及び
前記リスクエクスポージャの合計レベルが閾値を上回ると判定することに応答し、前記リスクエクスポージャの合計レベルを減らす取引が前記第１の賭博会場の管轄区内で合法かどうかを判定することにより、前記リスクエクスポージャの合計レベルの少なくとも一部を負担軽減する為のヘッジ取引を促進すること、
を前記計算装置に行わせる、機器。
【請求項２】
前記ヘッジ取引を促進することが、前記取引が合法である場合は、前記取引にローカルに参加し、前記取引が合法でない場合は、前記リスクエクスポージャの合計レベルを別の管轄区内の集中的権限に伝達して前記集中的権限が前記取引に参加できるようにすることを含む、請求項１に記載の機器。
【請求項３】
前記複数の命令が前記計算装置によって実行されるとき、
第２の賭博会場により前記二者間賭博提案の各サイドに賭けられる第２の金額を算出すること、
を前記計算装置に行わせ、
前記リスクエクスポージャのレベルを算出することが、前記第１の賭博会場と前記第２の賭博会場の両方により賭けられる金額に基づき、前記リスクエクスポージャのレベルを算出することを含み、及び
前記リスクエクスポージャの相殺レベルを算出することが、前記第１の賭博会場と前記第２の賭博会場の両方により賭けられる金額に基づき、前記リスクエクスポージャの相殺レベルを算出することを含む、
請求項１に記載の機器。
【請求項４】
前記ヘッジ取引を促進する際、前記第１の賭博会場及び前記第２の賭博会場と異なる第３の賭博会場に対して賭博活動に参加するよう命令することにより、前記第１、第２、及び第３の賭博会場にわたるリスクの合計が前記賭博活動後に閾値レベルを下回るようにする、請求項３に記載の機器。
【請求項５】
前記ヘッジ取引が、１つ又は複数の賭博の責任を第３の賭博会場に売ることを含む、請求項３に記載の機器。
【請求項６】
前記ヘッジ取引が、賭けを売買することができる取引所を介して注文することを含む、請求項１に記載の機器。
【請求項７】
前記ヘッジ取引が、第３の賭博会場と共に賭けを開始することを含む、請求項３に記載の機器。
【請求項８】
前記ヘッジ取引を促進することが、前記第１及び第２の賭博会場と異なる第３の賭博会場に対して賭博活動に参加するよう命令することを含む、請求項３に記載の機器。
【請求項９】
前記集中的権限を更に含み、前記集中的権限は様々な賭博会場から賭博提案に関する複数のリスクレベルを受け取り、前記様々なリスクレベルを合計し、前記合計したリスクのヘッジングを促進するように構成される、請求項２に記載の機器
【請求項１０】
前記ヘッジ取引を促進することが、第３の賭博会場及び第４の賭博会場の両方を前記ヘッジ取引に参加させようと試みることを含む、請求項３に記載の機器。
【請求項１１】
前記計算装置に、前記第３の賭博会場は前記ヘッジ取引の一部に参加していると判定させ、前記ヘッジ取引の残りの部分に参加する試みだけを含めるように前記第４の賭博会場による前記試みを調節する、請求項１０に記載の機器。
【請求項１２】
各サイドに賭けられる前記金額を算出することが、前記金額を示す報告を前記第１の賭博会場から受け取ることを含む、請求項３に記載の機器。
【請求項１３】
前記第１の賭博会場の第１の管轄区によって許可されている方法で前記報告が伝送され、前記第２の賭博会場によって賭けられる前記第２の金額が、第２の管轄区内で許可されているが前記第１の管轄区では許可されていない異なる方法で前記第２の管轄区内の前記第２の賭博会場から受け取られる、請求項１２に記載の機器。
【請求項１４】
前記リスクエクスポージャのレベルが、賭博提案の前記第１のサイドが勝者側である場合に前記第１及び第２の賭博会場が払い戻す責任を負う金額を含む、請求項３に記載の機器。
【請求項１５】
前記二者間賭博提案は、スポーツイベントにおける固定されたオッズの賭博を含む、請求項１に記載の機器。
【請求項１６】
前記リスクエクスポージャの合計レベルが前記閾値を上回ると判定することに応答し、前記計算装置が、異なるオッズで前記二者間賭博提案を提供するように前記第１の賭博会場及び前記第２の賭博会場に命令させられる、請求項３に記載の機器。
【請求項１７】
第１の賭博会場により二者間賭博提案の各サイドに賭けられる金額を算出すること、
前記計算装置が、第１のサイドに賭けられた金額に基づき、前記二者間賭博提案の前記第１のサイドに関するリスクエクスポージャのレベルを算出すること、
前記計算装置が、前記二者間賭博提案の第２のサイドに賭けられた金額に基づき、前記二者間賭博提案の前記第１のサイドに関するリスクエクスポージャの相殺レベルを算出すること、
前記計算装置が、前記リスクエクスポージャのレベル及び前記リスクエクスポージャの相殺レベルに基づき、リスクエクスポージャの合計レベルを算出すること、及び
前記計算装置が、前記リスクエクスポージャの合計レベルが閾値を上回ると判定することに応答し、前記リスクエクスポージャの合計レベルを減らす取引が前記第１の賭博会場の管轄区内で合法かどうかを判定することにより、前記リスクエクスポージャの合計レベルの少なくとも一部を負担軽減する為のヘッジ取引を促進すること、
を含む、方法。
【請求項１８】
複数の命令を記憶している非一時的な機械可読媒体を含む機器であって、前記命令は計算装置によって実行されるとき、
第１の賭博会場において第１のサイドに賭けられた金額に基づき、二者間賭博提案の前記第１のサイドに関するリスクエクスポージャの第１のレベルを受け取ることと、
第２の賭博会場において前記第１のサイドに賭けられた金額に基づき、前記二者間賭博提案の前記第１のサイドに関するリスクエクスポージャの第２のレベルを受け取ることと、
第３の賭博会場において第２のサイドに賭けられた金額に基づき、前記二者間賭博提案の第２のサイドに関するリスクエクスポージャの第３のレベルを受け取ることと、
前記第１のレベルと前記第２のレベルとを合計し、前記第３のレベルを減算することにより、賭博運営者のリスクエクスポージャの合計レベルを算出することと、
前記リスクエクスポージャの合計レベルを算出することに応答し、前記リスクエクスポージャの合計レベルを減らす取引が第４の賭博会場の管轄区内で合法かどうかを判定することにより、前記リスクエクスポージャの合計レベルを低下させる相殺賭博取引に参加するよう第４の賭博会場に命令することと、
を前記計算装置に行わせる、機器。
【請求項１９】
計算装置が、第１の賭博会場において第１のサイドに賭けられた金額に基づき、二者間賭博提案の前記第１のサイドに関するリスクエクスポージャの第１のレベルを受け取ることと、
前記計算装置が、第２の賭博会場において前記第１のサイドに賭けられた金額に基づき、前記二者間賭博提案の前記第１のサイドに関するリスクエクスポージャの第２のレベルを受け取ることと、
前記計算装置が、第３の賭博会場において第２のサイドに賭けられた金額に基づき、前記二者間賭博提案の第２のサイドに関するリスクエクスポージャの第３のレベルを受け取ることと、
前記計算装置が、前記第１のレベルと前記第２のレベルとを合計し、前記第３のレベルを減算することにより、賭博運営者のリスクエクスポージャの合計レベルを算出することと、
前記計算装置が、前記リスクエクスポージャの合計レベルを算出することに応答し、前記リスクエクスポージャの合計レベルを減らす取引が第４の賭博会場の管轄区内で合法かどうかを判定することにより、前記リスクエクスポージャの合計レベルを低下させる相殺賭博取引に参加するよう第４の賭博会場に命令することと、
を含む、方法。
【請求項２０】
第１の賭博会場において第１のサイドに賭けられた金額に基づき、二者間賭博提案の前記第１のサイドに関するリスクエクスポージャの第１のレベルを決定するように構成された第１リスクモジュールと、
第２の賭博会場において前記第１のサイドに賭けられた金額に基づき、前記二者間賭博提案の前記第１のサイドに関するリスクエクスポージャの第２のレベルを決定するように構成された第２リスクモジュールと、
第３の賭博会場において第２のサイドに賭けられた金額に基づき、前記二者間賭博提案の第２のサイドに関するリスクエクスポージャの第３のレベルを決定するように構成された第３リスクモジュールと、
前記第１のレベルと前記第２のレベルとを合計し、前記第３のレベルを減算することにより、賭博運営者のリスクエクスポージャの合計レベルを算出し、前記リスクエクスポージャの合計レベルを算出することに応答し、前記リスクエクスポージャの合計レベルを減らす取引が第４の賭博会場の管轄区内で合法かどうかを判定することにより、前記リスクエクスポージャの合計レベルを低下させる相殺賭博取引に参加するよう第４の賭博会場に命令するように構成されたリスクマネージャと、
を含む、機器。
【請求項２１】
第１の賭博会場により二者間リスク提案の各サイドに賭けられる金額を算出し、第１のサイドに賭けられた金額に基づき、前記二者間リスク提案の前記第１のサイドに関するリスクエクスポージャのレベルを算出し、前記二者間リスク提案の第２のサイドに賭けられた金額に基づき、前記二者間リスク提案の前記第１のサイドに関するリスクエクスポージャの相殺レベルを算出し、前記リスクエクスポージャのレベル及び前記リスクエクスポージャの相殺レベルに基づき、リスクエクスポージャの合計レベルを算出するように構成された第１のリスクモジュールと、
前記リスクエクスポージャの合計レベルが閾値を上回ると判定し、前記リスクエクスポージャの合計レベルが前記閾値を上回ると判定することに応答し、前記リスクエクスポージャの合計レベルを減らす取引が第１の賭博会場の管轄区内で合法かどうかを判定することにより、前記リスクエクスポージャの合計レベルの少なくとも一部を負担軽減する為のヘッジ取引を促進するように構成されたリスクマネージャと、
を含む、機器。
【請求項２２】
前記リスクエクスポージャのレベルを算出することは、前記第１及び第２の賭博会場の両方により前記第１のサイドに賭けられる金額からリスクを合計することを含み、
前記リスクエクスポージャの相殺レベルを算出することは、前記第１及び第２の賭博会場の両方により前記第２のサイドに賭けられる金額からリスクを合計することを含み、及び、
前記リスクエクスポージャの合計レベルを算出することは、前記リスクエクスポージャのレベルから前記リスクエクスポージャの相殺レベルを減算した絶対値を算出することを含む、
請求項３に記載の機器。
【請求項２３】
前記機器は、
前記リスクエクスポージャの合計レベルが閾値を上回ると判定すること、及び、
前記リスクエクスポージャの合計レベルが前記閾値を上回ると判定することに応答し、前記第４の賭博会場が前記相殺賭博取引に参加するよう命令されること、を行わせる、
請求項１８に記載の機器。
【請求項２４】
前記リスクエクスポージャの合計レベルが閾値を上回ると判定することと、
前記リスクエクスポージャの合計レベルが前記閾値を上回ると判定するステップに応答し、前記第４の賭博会場が前記相殺賭博取引に参加するよう命令することと、
を含む、請求項１８に記載の方法。
【請求項２５】
前記リスクマネージャは、
前記リスクエクスポージャの合計レベルが閾値を上回ると判定し、及び、
前記リスクエクスポージャの合計レベルが前記閾値を上回ると判定することに応答し、前記リスク相殺モジュールが前記相殺リスク取引に参加するよう命令される、ように構成されている、請求項２０に記載の機器。
【請求項２６】
複数の命令を記憶している非一時的な機械可読媒体を含む機器であって、前記命令は計算装置によって実行されるとき、
第１の賭博会場において第１のサイドに賭けられた金額に基づき、二者間賭博提案の前記第１のサイドに関するリスクエクスポージャの第１のレベルを受け取ることと、
第２の賭博会場において前記第１のサイドに賭けられた金額に基づき、前記二者間賭博提案の前記第１のサイドに関するリスクエクスポージャの第２のレベルを受け取ることと、
第３の賭博会場において第２のサイドに賭けられた金額に基づき、前記二者間賭博提案の前記第２のサイドに関するリスクエクスポージャの第３のレベルを受け取ることと、
前記第１のレベルと前記第２のレベルとを合計し、前記第３のレベルを減算することにより、賭博運営者のリスクエクスポージャの合計レベルを算出することと、
前記リスクエクスポージャの合計レベルが閾値を上回ると判定することに応答し、前記リスクエクスポージャの合計レベルを減らす取引が第４の賭博会場の管轄区内で合法かどうかを判定することにより、前記リスクエクスポージャの合計レベルを低下させる相殺賭博取引に参加するよう第４の賭博会場に命令することと、
を前記計算装置に行わせる、機器。